(57)【要約】【課題】車体前方向に力がかかった場合の車両用シートの変形を抑え、乗員の安全性の向上を図ることを可能とする。【解決手段】シートフレーム１が、設置用部材２０よりも車体幅方向外側に突き出てオーバーハングしている箇所ＯＨに対して変形抑制部７が設けられ、この変形抑制部７が、クッションフレーム２の前端側と後端側に間隔を空けて配置されるとともにクッションフレーム２に固定された一対の第一ブラケット１０と、設置用部材２０に取り付けられるとともに一対の第一ブラケット１０に固定された固定部１１と、一対の第一ブラケット１０間に架け渡されて固定された少なくとも一つの連結部１３（１２）と、を備え、少なくとも一つの連結部１３（１２）には、固定部１１よりもシートクッション外側に寄って配置された連結部１３が含まれている。【選択図】図３
2019026158.tif 000002
【特許請求の範囲】
【請求項１】
シートクッションの骨格を形成するクッションフレームと、下端部が前記シートクッションに支持されるシートバックの骨格を形成するシートバックフレームと、を備えたシートフレームが、設置用部材を介して車体に設置されており、
前記設置用部材は、前記車体に対して前記クッションフレームよりも車体幅方向に狭い範囲で設けられ、前記シートフレームは、前記設置用部材よりも車体幅方向外側に突き出てオーバーハングした状態となっており、
前記クッションフレームと前記設置用部材との間のうち、前記クッションフレームにおけるオーバーハングしている箇所に対して変形抑制部が設けられており、
前記変形抑制部は、
前記クッションフレームの前端側と後端側に間隔を空けて、かつ互いに対向して配置されるとともに前記クッションフレームに固定された一対の第一ブラケットと、
前記設置用部材に取り付けられるとともに前記一対の第一ブラケットの双方に固定された固定部と、
前記一対の第一ブラケット間に架け渡されて固定された少なくとも一つの連結部と、を備えており、
前記少なくとも一つの連結部には、前記固定部よりも前記シートクッションの外側に寄って配置された連結部が含まれていることを特徴とするシートフレームの補強構造。
【請求項２】
前記少なくとも一つの連結部には、前記固定部よりも前記シートクッションの中央側に寄って配置された第一連結部と、前記固定部よりも前記シートクッションの外側に寄って配置された第二連結部と、が含まれていることを特徴とする請求項１に記載のシートフレームの補強構造。
【請求項３】
前記第一連結部及び前記第二連結部は、前記固定部よりも上方に配置されていることを特徴とする請求項２に記載のシートフレームの補強構造。
【請求項４】
前記一対の第一ブラケットは、正面視において略逆三角形状に形成されており、
前記固定部は、前記一対の第一ブラケットにおける下端部の頂点付近に配置され、
前記第一連結部及び前記第二連結部は、前記一対の第一ブラケットにおける上側両端部の頂点付近にそれぞれ配置されていることを特徴とする請求項２又は３に記載のシートフレームの補強構造。
【請求項５】
前記一対の第一ブラケットのそれぞれは、前側板部と、後側板部と、これら前側板部と後側板部とを連結する連結板部とを有しており、
前記第一連結部及び前記第二連結部は、前記一対の第一ブラケットにおける前記前側板部と前記後側板部の双方を貫通していることを特徴とする請求項２〜４のいずれか一項に記載のシートフレームの補強構造。
【請求項６】
前記第一連結部及び前記第二連結部は、同一の材質又は異なる材質に設定されていることを特徴とする請求項２〜５のいずれか一項に記載のシートフレームの補強構造。
【請求項７】
前記第一連結部及び前記第二連結部は、棒状に形成され、略等しい径寸法又は異なる径寸法に設定されていることを特徴とする請求項２〜６のいずれか一項に記載のシートフレームの補強構造。
【請求項８】
前記第一連結部及び前記第二連結部はパイプ材であり、略等しい肉厚寸法又は異なる肉厚寸法に設定されていることを特徴とする請求項２〜７のいずれか一項に記載のシートフレームの補強構造。
【請求項９】
前記第一連結部及び前記第二連結部は、平行又は非平行に配置されていることを特徴とする請求項２〜８のいずれか一項に記載のシートフレームの補強構造。
【請求項１０】
前記第一連結部と前記第二連結部との間に、これら第一連結部と第二連結部とを連結して補強する連結補強部が設けられていることを特徴とする請求項２〜９のいずれか一項に記載のシートフレームの補強構造。
【請求項１１】
前記シートフレームは、その幅方向一端部側が前記設置用部材よりも車体幅方向外側に突き出てオーバーハングした状態となっており、
シートベルトの引き出し口が、前記シートバックフレームの上端部のうち前記設置用部材よりもオーバーハングしている側に設けられていることを特徴とする請求項１〜１０のいずれか一項に記載のシートフレームの補強構造。
【請求項１２】
前記クッションフレームと前記設置用部材との間のうち、前記クッションフレームにおけるオーバーハングしていない箇所に、前記クッションフレームの前端側と後端側に間隔を空けて、かつ互いに対向して配置されるとともに前記クッションフレームに固定された一対の第二ブラケットが設けられており、
前記一対の第一ブラケット及び前記一対の第二ブラケットの、前側に位置するブラケット同士又は後側に位置するブラケット同士の少なくとも一方が一体に形成されていることを特徴とする請求項１１に記載のシートフレームの補強構造。
【請求項１３】
前記シートフレームは、その幅方向両端部が前記設置用部材よりも車体幅方向外側に突き出てオーバーハングした状態となっており、
前記クッションフレームと前記設置用部材との間のうち、前記クッションフレームにおけるオーバーハングしている箇所の双方に対して前記変形抑制部が設けられていることを特徴とする請求項１〜１０のいずれか一項に記載のシートフレームの補強構造。
【発明の詳細な説明】
【技術分野】
【０００１】
本発明は、シートフレームの補強構造に関する。
【背景技術】
【０００２】
従来、シートベルトの引き出し口が、シートバックの上端部片側に設けられた車両用シートが知られている（例えば、特許文献１参照。）。
また、従来、シートベルトに対して車体前方向の力がかかるようにして、シートベルト締結部の強度を測定するシートベルトアンカレッジ試験が行われている（例えば、特許文献２参照。）。
【先行技術文献】
【特許文献】
【０００３】
【特許文献１】特開２０１４−１２９００９号公報
【特許文献２】特開平７−５１１４５号公報
【発明の概要】
【発明が解決しようとする課題】
【０００４】
ところで、車両用シートは、車体の幅方向に間隔を空けて配置されたスライドレールやその他の設置用部材を介して車体のフロアに対して設置されるが、その間隔が、車両用シートが設置される車体の大きさや種類によって、車両用シートのシートクッションよりも狭い場合がある。この場合、シートクッションの幅方向一端部若しくは両端部が、スライドレール等の位置よりも外側に突き出て、オーバーハングしたような状態となる。
このようにシートクッションがオーバーハングした状態の車両用シートに対してシートベルトアンカレッジ試験を行うと、シートクッションの幅方向一端部若しくは両端部がオーバーハングしているため、車体前方向にかかる力によって、シートクッションの後端部が釣り上がるようにして、さらに前端部が沈み込むようにして変形する場合がある。シートベルトの引き出し口が、シートバックの上端部片側に設けられている場合は、さらに捩れ方向に力が加わって変形する場合がある（図１０参照。）。
図１０は、シートクッションがシート支持部３０によってオーバーハングするように支持された状態において、シートベルトに対して車体前方向の力がかかり、これによって、シートクッションを構成する後端部側のフレーム材３１が釣り上がるようにして、前端部側のフレーム材３２が沈み込むようにして変形している状態を示す背面面である。
すなわち、シートクッションが車体との連結部に対してオーバーハングし、尚且つシートバックの上端部片側にシートベルトの引き出し口が設けられた状態の車両用シートに対して車体前方向に力がかかるような状況下においては、車両用シート自体が大きく変形してしまう場合があり、乗員の安全性の向上を図るために車両用シートの変形を抑えることが求められていた。
【０００５】
本発明は上記事情に鑑みてなされたものであり、車体前方向に力がかかった場合の車両用シートの変形を抑え、乗員の安全性の向上を図ることが可能なシートフレームの補強構造を提供することを目的とする。
【課題を解決するための手段】
【０００６】
以上の課題を解決するため、請求項１に記載の発明は、シートフレームの補強構造であって、シートクッションの骨格を形成するクッションフレームと、下端部が前記シートクッションに支持されるシートバックの骨格を形成するシートバックフレームと、を備えたシートフレームが、設置用部材を介して車体に設置されており、
前記設置用部材は、前記車体に対して前記クッションフレームよりも車体幅方向に狭い範囲で設けられ、前記シートフレームは、前記設置用部材よりも車体幅方向外側に突き出てオーバーハングした状態となっており、
前記クッションフレームと前記設置用部材との間のうち、前記クッションフレームにおけるオーバーハングしている箇所に対して変形抑制部が設けられており、
前記変形抑制部は、
前記クッションフレームの前端側と後端側に間隔を空けて、かつ互いに対向して配置されるとともに前記クッションフレームに固定された一対の第一ブラケットと、
前記設置用部材に取り付けられるとともに前記一対の第一ブラケットの双方に固定された固定部と、
前記一対の第一ブラケット間に架け渡されて固定された少なくとも一つの連結部と、を備えており、
前記少なくとも一つの連結部には、前記固定部よりも前記シートクッションの外側に寄って配置された連結部が含まれていることを特徴とする。
【０００７】
請求項２に記載の発明は、請求項１に記載のシートフレームの補強構造において、
前記少なくとも一つの連結部には、前記固定部よりも前記シートクッションの中央側に寄って配置された第一連結部と、前記固定部よりも前記シートクッションの外側に寄って配置された第二連結部と、が含まれていることを特徴とする。
【０００８】
請求項３に記載の発明は、請求項２に記載のシートフレームの補強構造において、
前記第一連結部及び前記第二連結部は、前記固定部よりも上方に配置されていることを特徴とする。
【０００９】
請求項４に記載の発明は、請求項２又は３に記載のシートフレームの補強構造において、
前記一対の第一ブラケットは、正面視において略逆三角形状に形成されており、
前記固定部は、前記一対の第一ブラケットにおける下端部の頂点付近に配置され、
前記第一連結部及び前記第二連結部は、前記一対の第一ブラケットにおける上側両端部の頂点付近にそれぞれ配置されていることを特徴とする。
【００１０】
請求項５に記載の発明は、請求項２〜４のいずれか一項に記載のシートフレームの補強構造において、
前記一対の第一ブラケットのそれぞれは、前側板部と、後側板部と、これら前側板部と後側板部とを連結する連結板部とを有しており、
前記第一連結部及び前記第二連結部は、前記一対の第一ブラケットにおける前記前側板部と前記後側板部の双方を貫通していることを特徴とする。
【００１１】
請求項６に記載の発明は、請求項２〜５のいずれか一項に記載のシートフレームの補強構造において、
前記第一連結部及び前記第二連結部は、同一の材質又は異なる材質に設定されていることを特徴とする。
【００１２】
請求項７に記載の発明は、請求項２〜６のいずれか一項に記載のシートフレームの補強構造において、
前記第一連結部及び前記第二連結部は、棒状に形成され、略等しい径寸法又は異なる径寸法に設定されていることを特徴とする。
【００１３】
請求項８に記載の発明は、請求項２〜７のいずれか一項に記載のシートフレームの補強構造において、
前記第一連結部及び前記第二連結部はパイプ材であり、略等しい肉厚寸法又は異なる肉厚寸法に設定されていることを特徴とする。
【００１４】
請求項９に記載の発明は、請求項２〜８のいずれか一項に記載のシートフレームの補強構造において、
前記第一連結部及び前記第二連結部は、平行又は非平行に配置されていることを特徴とする。
【００１５】
請求項１０に記載の発明は、請求項２〜９のいずれか一項に記載のシートフレームの補強構造において、
前記第一連結部と前記第二連結部との間に、これら第一連結部と第二連結部とを連結して補強する連結補強部が設けられていることを特徴とする。
【００１６】
請求項１１に記載の発明は、請求項１〜１０のいずれか一項に記載のシートフレームの補強構造において、
前記シートフレームは、その幅方向一端部側が前記設置用部材よりも車体幅方向外側に突き出てオーバーハングした状態となっており、
シートベルトの引き出し口が、前記シートバックフレームの上端部のうち前記設置用部材よりもオーバーハングしている側に設けられていることを特徴とする。
【００１７】
請求項１２に記載の発明は、請求項１１に記載のシートフレームの補強構造において、
前記クッションフレームと前記設置用部材との間のうち、前記クッションフレームにおけるオーバーハングしていない箇所に、前記クッションフレームの前端側と後端側に間隔を空けて、かつ互いに対向して配置されるとともに前記クッションフレームに固定された一対の第二ブラケットが設けられており、
前記一対の第一ブラケット及び前記一対の第二ブラケットの、前側に位置するブラケット同士又は後側に位置するブラケット同士の少なくとも一方が一体に形成されていることを特徴とする。
【００１８】
請求項１３に記載の発明は、請求項１〜１０のいずれか一項に記載のシートフレームの補強構造において、
前記シートフレームは、その幅方向両端部が前記設置用部材よりも車体幅方向外側に突き出てオーバーハングした状態となっており、
前記クッションフレームと前記設置用部材との間のうち、前記クッションフレームにおけるオーバーハングしている箇所の双方に対して前記変形抑制部が設けられていることを特徴とする。
【発明の効果】
【００１９】
請求項１に記載の発明によれば、シートフレームに対して車体前方向に力がかかり、設置用部材よりも車体幅方向外側に突き出てオーバーハングした箇所を変形させる力が生じた場合に、一対の第一ブラケットに対して互いに一定の距離を持って配置固定された固定部と少なくとも一つの連結部とが互いに作用し合い、オーバーハングした箇所にかかる変形力を吸収することができるので、オーバーハングした箇所の変形を抑えることができる。これにより、シートフレームに対して車体前方向に力がかかる場合の乗員の安全性の向上を図ることができる。
【００２０】
請求項２に記載の発明によれば、少なくとも一つの連結部には、固定部よりもシートクッションの中央側に寄って配置された第一連結部と、固定部よりもシートクッションの外側に寄って配置された第二連結部と、が含まれているので、一対の第一ブラケットに対して互いに一定の距離を持って配置固定された固定部と第一連結部と第二連結部とが互いに作用し合い、オーバーハングした箇所にかかる変形力を吸収することができるので、オーバーハングした箇所の変形をより効果的に抑えることができる。これにより、シートフレームに対して車体前方向に力がかかる場合の乗員の安全性の向上を図ることができる。
【００２１】
請求項３に記載の発明によれば、第一連結部及び第二連結部は、固定部よりも上方に配置されているので、第一連結部及び第二連結部を、固定部に対して高さ方向にも間隔を空けて配置することができる。これにより、オーバーハングした箇所にかかる変形力を分散させて吸収しやすくなる。
【００２２】
請求項４に記載の発明によれば、固定部が、略逆三角形状の一対の第一ブラケットにおける下端部の頂点付近に配置され、第一連結部及び第二連結部が、略逆三角形状の一対の第一ブラケットにおける上側両端部の頂点付近にそれぞれ配置されているので、オーバーハングした箇所にかかる変形力を吸収する効果を発揮しつつ、固定部と第一連結部と第二連結部とを効率良く配置することができる。
【００２３】
請求項５に記載の発明によれば、第一連結部及び第二連結部は、一対の第一ブラケットにおける前側板部と後側板部の双方を貫通しているので、オーバーハングした箇所にかかる変形力をより一層分散させやすくなるとともに、一対の第一ブラケットと第一連結部及び第二連結部の両端部とを強固に結合しやすくなる。
【００２４】
請求項６に記載の発明によれば、第一連結部及び第二連結部は、同一の材質又は異なる材質に設定されているので、同一の材質とした場合には、オーバーハングした箇所にかかる変形力を均等に分散でき、異なる材質とした場合には、オーバーハングした箇所にかかる変形力を偏りが出るように分散できる。すなわち、オーバーハングした箇所にかかる変形力を想定して、同一の材質の第一連結部及び第二連結部を選択したり、異なる材質の第一連結部及び第二連結部を選択したりすることができるので、例えば車種に応じてオーバーハングした箇所の寸法等が異なる場合であっても、第一連結部及び第二連結部の好ましい材質を選択して対応することができる。
【００２５】
請求項７に記載の発明によれば、第一連結部及び第二連結部は、棒状に形成され、略等しい径寸法又は異なる径寸法に設定されているので、略等しい径寸法とした場合には、オーバーハングした箇所にかかる変形力を均等に分散でき、異なる径寸法にした場合には、オーバーハングした箇所にかかる変形力を偏りが出るように分散できる。すなわち、オーバーハングした箇所にかかる変形力を想定して、略等しい径寸法の第一連結部及び第二連結部を選択したり、異なる径寸法の第一連結部及び第二連結部を選択したりすることができるので、例えば車種に応じてオーバーハングした箇所の寸法等が異なる場合であっても、第一連結部及び第二連結部の好ましい径寸法を選択して対応することができる。
【００２６】
請求項８に記載の発明によれば、第一連結部及び第二連結部はパイプ材であり、略等しい肉厚寸法又は異なる肉厚寸法に設定されているので、略等しい肉厚寸法とした場合には、オーバーハングした箇所にかかる変形力を均等に分散でき、異なる肉厚寸法にした場合には、オーバーハングした箇所にかかる変形力を偏りが出るように分散できる。すなわち、オーバーハングした箇所にかかる変形力を想定して、略等しい肉厚寸法の第一連結部及び第二連結部を選択したり、異なる肉厚寸法の第一連結部及び第二連結部を選択したりすることができるので、例えば車種に応じてオーバーハングした箇所の寸法等が異なる場合であっても、パイプ材である第一連結部及び第二連結部の好ましい肉厚寸法を選択して対応することができる。
【００２７】
請求項９に記載の発明によれば、第一連結部及び第二連結部は、平行又は非平行に配置されているので、平行に配置した場合には、オーバーハングした箇所にかかる変形力を均等に分散でき、非平行に配置した場合には、オーバーハングした箇所にかかる変形力を偏りが出るように分散できる。すなわち、オーバーハングした箇所にかかる変形力を想定して、第一連結部及び第二連結部を平行に配置することを選択したり、第一連結部及び第二連結部を非平行に配置することを選択したりすることができるので、例えば車種に応じてオーバーハングした箇所の寸法等が異なる場合であっても、第一連結部及び第二連結部の好ましい配置を選択して対応することができる。
また、例えば変形抑制部が、シートフレームや車体の他の部材に干渉する場合に、第一連結部及び第二連結部を非平行に配置することで、他の部材への干渉を防ぐことができるので、シートフレームや車体の他の部材に干渉しにくくなり、変形抑制部を設けやすくなる。
【００２８】
請求項１０に記載の発明によれば、第一連結部及び第二連結部との間に、これら第一連結部及び第二連結部とを連結して補強する連結補強部が設けられているので、第一連結部及び第二連結部を含む変形抑制部全体の一体性を高めることができ、オーバーハングした箇所にかかる変形力をより一層分散させやすくなる。
【００２９】
請求項１１に記載の発明によれば、シートベルトの引き出し口が、シートバックフレームの上端部のうち設置用部材よりもオーバーハングしている側に設けられているので、シートフレームに対して車体前方向に力がかかった際に、オーバーハングした箇所には、オーバーハングした箇所を変形させるようとする、より強い力が生じることになるが、このような箇所に対して変形抑制部が設けられるため、シートフレームの変形を効果的に抑制することができる。
【００３０】
請求項１２に記載の発明によれば、オーバーハングしている箇所に設けられた一対の第一ブラケットと、オーバーハングしていない箇所に設けられた一対の第二ブラケットと、を一体に形成することができるので、オーバーハングした箇所にかかる変形力を、一対の第二ブラケット側に分散でき、オーバーハングした箇所の変形を抑えやすくなる。
【００３１】
請求項１３に記載の発明によれば、シートフレームの幅方向両端部がオーバーハングした箇所となり、これら双方のオーバーハングした箇所に対して変形抑制部が設けられているので、シートフレームの幅方向両端部の変形を抑制することができる。
【図面の簡単な説明】
【００３２】
【図１】シートフレームを示す斜視図である。
【図２】シートフレームを支持し、かつ変形抑制部を備えたシート支持部を示す背面図である。
【図３】変形抑制部を備えたシート支持部を示す下方側からの斜視図である。
【図４】第一連結部及び第二連結部の径寸法の設定について説明する正面図である。
【図５】パイプ材である第一連結部及び第二連結部の肉厚寸法の設定について説明する正面図である。
【図６】第一連結部及び第二連結部の平面視における配置について説明する平面図である。
【図７】第一連結部及び第二連結部との間に連結補強部が設けられた状態を示す平面図である。
【図８】第一ブラケットと第二ブラケットとを一体に形成した場合の形態を説明する背面図である。
【図９】シートフレームの幅方向両端部がオーバーハングする場合の形態を説明する背面図である。
【図１０】従来において、オーバーハングしている箇所に対して変形力が生じた場合の形態を説明する背面図である。
【発明を実施するための形態】
【００３３】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００３４】
図１において符号１は、人が着座するシートのシートフレームを示す。このシートフレーム１は、人の大腿部及び臀部を支持するシートクッションの骨格を形成するクッションフレーム２と、下端部がシートクッションに支持される背凭れであるシートバックの骨格を形成するシートバックフレーム３と、を備える。
このようなシートフレーム１は、図示はしないが、クッションフレーム２とシートバックフレーム３にクッションパッドが設けられ、当該クッションパッドが表皮によって覆われることでシートを構成している。
また、このように構成されるシートは、自動車（車両）の室内に設けられる車両用シートとして、後述するように、設置用部材２０を介して車体のフロアＦに設置されている。
【００３５】
クッションフレーム２は、互いに間隔を空けて配置された左右一対のクッションサイドフレーム２ａ，２ａと、左右一対のクッションサイドフレーム２ａ，２ａ間に配置されてクッションパッド（図示せず）を支持するパンフレーム２ｂと、左右一対のクッションサイドフレーム２ａ，２ａの後端部に設けられてシートバックフレーム３を傾動自在に支持するリクライニング機構２ｃと、前後のレール部材２ｄ，２ｄと、を有する。
【００３６】
前後のレール部材２ｄ，２ｄはそれぞれ、ロアレール２ｄ１と、このロアレール２ｄ１に対して長さ方向にスライド可能に設けられたアッパーレール２ｄ２と、を有しており、シートフレーム１を左右方向に位置調整できるようになっている。
このようなレール部材２ｄ，２ｄは、クッションフレーム２の前端側と後端側に間隔を空けて配置されるとともに、アッパーレール２ｄ２，２ｄ２がクッションフレーム２の前端部と後端部にそれぞれ固定されている。
なお、本実施形態においては、以上のようなレール部材２ｄ，２ｄが採用されているが、左右方向に位置調整可能としない車両用シートの場合は、レール部材２ｄ，２ｄの代わりに左右方向に延在する棒状部材（図示せず）を採用してもよい。
【００３７】
シートバックフレーム３は、互いに間隔を空けて配置された左右一対のサイドフレーム３ａ，３ａと、左右一対のサイドフレーム３ａ，３ａの上端部間に設けられた上部フレーム３ｂと、を有する。
そして、シートバックフレーム３の上端部のうち右側端部に、シートベルトの引き出し口を構成するベルトガイドブラケット４が設けられている。なお、ベルトガイドブラケット４は、車体に対する車両用シートの位置によって設けられる場所が異なる。例えば車両用シートが車体の右側にある場合には、上述のようにシートバックフレーム３の上端部のうち右側端部に設けられることが好ましいが、車両用シートが車体の左側にある場合は、シートバックフレーム３の上端部のうち左側端部に設けられることが好ましい。
【００３８】
車両用シートは、図２，図３に示すように、さらにシートフレーム１を支持するシート支持部６を備えている。このシート支持部６は、シートフレーム１を車体のフロアＦから所定の高さに支持するものであり、設置用部材２０に取り付けられ、当該設置用部材２０を介して車体のフロアＦに固定されている。換言すれば、設置用部材２０は、シート支持部６と車体のフロアＦとを連結する連結部として機能している。
設置用部材２０は、車体の前後方向に長く形成され、車体に対してクッションフレーム２よりも車体幅方向に狭い範囲で設けられた一対のスライドレールであって、車体の前後方向に長尺なロアレール２１と、ロアレール２１に沿ってスライド移動するアッパーレール２２と、左右のアッパーレール２２，２２同士を連結するレール連結部２３と、を有する。
そして、シートフレーム１は、一対のスライドレール２０，２０である設置用部材よりも車体幅方向外側に突き出てオーバーハングした状態となっている（オーバーハングしている箇所ＯＨ）。本実施形態において、シートフレーム１は、車体の右側に突き出てオーバーハングした状態となっている。すなわち、シートフレーム１がオーバーハングする方向と、ベルトガイドブラケット４が設けられる方向が揃った状態となっている。
【００３９】
なお、設置用部材（スライドレール２０，２０）が、クッションフレーム２よりも車体幅方向に狭い範囲で設けられる理由としては、車体の幅寸法と車両用シートの幅寸法との兼ね合いや、オーバーハングしている箇所ＯＨに、例えばホイールハウス等の設備が位置する場合等が挙げられる。
また、本実施形態においては設置用部材として、一対のスライドレール２０，２０を採用したが、これに限られるものではなく、シートフレーム１を車体のフロアＦに設置するためのものであればよい。また、どのような設置用部材を採用した場合であっても、クッションフレーム２よりも車体幅方向に狭い範囲で設けられているものとする。
【００４０】
シート支持部６は、変形抑制部７と、一対の第二ブラケット８，８と、を有する。
変形抑制部７は、クッションフレーム２と設置用部材であるスライドレール２０，２０との間のうち、クッションフレーム２におけるオーバーハングしている箇所ＯＨに対して設けられており、オーバーハングしている箇所ＯＨ及びシートフレーム１（クッションフレーム２）の変形を抑制することができる。
このような変形抑制部７は、一対の第一ブラケット１０，１０と、固定部１１と、第一連結部１２と、第二連結部１３と、を備えている。
【００４１】
一対の第一ブラケット１０，１０は、クッションフレーム２の前端側と後端側に間隔を空けて、かつ互いに対向して配置されるとともにクッションフレーム２に対して固定状態とされている。すなわち、これら一対の第一ブラケット１０，１０は、クッションフレーム２が備えるレール部材２ｄ，２ｄのロアレール２ｄ１，２ｄ１にそれぞれ固定されている。
これら一対の第一ブラケット１０，１０のそれぞれは、前側板部１０ａと、後側板部１０ｂと、これら前側板部１０ａと後側板部１０ｂとを連結する連結板部１０ｃとを有している。
前側板部１０ａ及び後側板部１０ｂは、正面視（背面視）において略逆三角形状に形成されている。このように前側板部１０ａ及び後側板部１０ｂのそれぞれが、正面視（背面視）において略逆三角形状に形成されていれば、オーバーハングしている箇所ＯＨに形成されたスペースを潰すことがないので好適である。そして、これら前側板部１０ａ及び後側板部１０ｂには、第一連結部１２及び第二連結部１３がそれぞれ挿通される挿通孔が形成されている。また、前側の第一ブラケット１０における前側板部１０ａと、後側の第一ブラケット１０における後側板部１０ｂのそれぞれには、固定部１１が挿通される挿通孔が形成されている。
連結板部１０ｃは、前側板部１０ａの上端縁と後側板部１０ｂの上端縁との間に設けられて、前側板部１０ａと後側板部１０ｂとを連結している。また、この連結板部１０ｃの上面に、レール部材２ｄのロアレール２ｄ１が固定されている。
なお、前側板部１０ａ及び後側板部１０ｂは、正面視（背面視）において略逆三角形状に形成されているものとしたが、三角形の態様としては、二等辺三角形や正三角形を採用してもよいし、不等辺の三角形を採用してもよい。
【００４２】
固定部１１は、設置用部材（スライドレール２０）に取り付けられるとともに前後一対の第一ブラケット１０，１０の双方に固定されている。換言すれば、この固定部１１は、変形抑制部７自体を、設置用部材（スライドレール２０）に固定するためのものであり、変形抑制部７の前端部と後端部の双方に設けられている。また、上述のように、一対の第一ブラケット１０，１０は正面視において略逆三角形状に形成されており、この固定部１１は、一対の第一ブラケット１０，１０における下端部の頂点付近に配置されている。
より具体的には、固定部１１は、前側の第一ブラケット１０における前側板部１０ａと、後側の第一ブラケット１０における後側板部１０ｂのそれぞれに形成された挿通孔に挿通されるボルト部材であり、前側の第一ブラケット１０における前側板部１０ａと、後側の第一ブラケット１０における後側板部１０ｂのそれぞれの裏側には、ボルト部材である固定部１１を受ける雌ネジが形成された受部１１ａが設けられている。この受部１１ａは、設置用部材であるスライドレール２０のアッパーレール２２の長さ方向両端部に固定されている。
【００４３】
第一連結部１２及び第二連結部１３は、本実施形態においてはパイプ材である。ただし、これに限られるものではなく、芯材（中実棒部材）であってもよい。また、これら第一連結部１２及び第二連結部１３が、パイプ材や芯材からなる棒状部材である場合、その断面形状は丸型（丸パイプ・丸棒）でもよいし、角型（角パイプ・角棒・角材）でもよい。さらに、これら第一連結部１２及び第二連結部１３は、パイプ材や芯材からなる棒状部材ではなく、棒状部材よりも平板な板状部材であってもよい。
そして、これら第一連結部１２及び第二連結部１３は、前後一対の第一ブラケット１０，１０間に架け渡されて固定されている。
より詳細に説明すると、第一連結部１２は、固定部１１よりもシートクッションの中央側に寄って配置され、第二連結部１３は、固定部１１よりもシートクッションの外側（すなわち、オーバーハングしている箇所ＯＨ側）に寄って配置されている。さらに、第一連結部１２及び第二連結部１３は、図２に示す仮想線Ｌを中心に線対称となる配置となっており、仮想線Ｌから第一連結部１２までの最短距離と、仮想線Ｌから第二連結部１３までの最短距離が等しくなるように設定されている。
また、上述のように、一対の第一ブラケット１０，１０は正面視において略逆三角形状に形成されており、第一連結部１２及び第二連結部１３は、一対の第一ブラケット１０，１０における上側両端部の頂点付近にそれぞれ配置されている。換言すれば、これら第一連結部１２及び第二連結部１３は、固定部１１よりも上方に配置されていることになる。
さらに、第一連結部１２及び第二連結部１３は、一対の第一ブラケット１０，１０における前側板部１０ａと後側板部１０ｂの双方を貫通している。すなわち、前側板部１０ａ及び後側板部１０ｂに形成された上述の挿通孔に対して挿通されている。そして、第一連結部１２及び第二連結部１３の両端部は、一対の第一ブラケット１０，１０における前側板部１０ａと後側板部１０ｂの双方に対し、例えば溶接等によって接合されている。
【００４４】
また、第一連結部１２及び第二連結部１３は、同一の材質に設定されている。換言すれば、これら第一連結部１２及び第二連結部１３は、同一の材料をもとに製造されている。
ただし、これに限られるものではなく、第一連結部１２及び第二連結部１３は、異なる材質に設定されていてもよい。すなわち、オーバーハングしている箇所ＯＨに配置される第二連結部１３と、オーバーハングしている箇所ＯＨとは反対側に設けられる第一連結部１２は、必ずしも同一の材質でなくてもよく、例えば一方をアルミニウム合金製とし、他方をステンレス鋼製とするなど、シートフレーム１及びオーバーハングしている箇所ＯＨにかかる変形力に応じて適宜変更してもよい。
【００４５】
また、第一連結部１２及び第二連結部１３は、図４（ａ）に示すように、略等しい径寸法Ｄ１に設定されている。
ただし、これに限られるものではなく、図４（ｂ）に示すように、第一連結部１２及び第二連結部１３は、異なる径寸法Ｄ１，Ｄ２に設定されていてもよい。すなわち、オーバーハングしている箇所ＯＨに配置される第二連結部１３と、オーバーハングしている箇所ＯＨとは反対側に設けられる第一連結部１２は、必ずしも略等しい径寸法Ｄ１でなくてもよく、シートフレーム１及びオーバーハングしている箇所ＯＨにかかる変形力に応じて適宜変更してもよい。
なお、図４（ｂ）では、第二連結部１３が、第一連結部１２よりも大径に形成されているが、第一連結部１２が、第二連結部１３よりも大径に形成されていてもよい。
【００４６】
また、パイプ材である第一連結部１２及び第二連結部１３は、図２に示すように、略等しい肉厚寸法に設定されている。
ただし、これに限られるものではなく、図５に示すように、パイプ材である第一連結部１２及び第二連結部１３は、異なる肉厚寸法Ｔ１，Ｔ２に設定されていてもよい。すなわち、オーバーハングしている箇所ＯＨに配置される第二連結部１３と、オーバーハングしている箇所ＯＨとは反対側に設けられる第一連結部１２は、必ずしも略等しい肉厚寸法Ｔ１でなくてもよく、シートフレーム１及びオーバーハングしている箇所ＯＨにかかる変形力に応じて適宜変更してもよい。
なお、図５では、第二連結部１３が、第一連結部１２よりも肉厚寸法Ｔ２が厚く形成されているが、第一連結部１２が、第二連結部１３よりも肉厚に形成されていてもよい。
【００４７】
第一連結部１２及び第二連結部１３は、図６（ａ）に示すように、平面視において平行に配置されている。
ただし、これに限られるものではなく、図６（ｂ）に示すように、第一連結部１２及び第二連結部１３は、平面視において非平行に配置されていてもよい。すなわち、オーバーハングしている箇所ＯＨに配置される第二連結部１３と、オーバーハングしている箇所ＯＨとは反対側に設けられる第一連結部１２は、必ずしも平行に配置されていなくてもよく、シートフレーム１及びオーバーハングしている箇所ＯＨにかかる変形力に応じて、どちらかが平面視において傾いた状態になっていてもよい。また、例えば変形抑制部７が、シートフレーム１や車体の他の部材（図示せず）に干渉する場合に、第一連結部１２及び第二連結部１３を非平行に配置することで、他の部材への干渉を防ぐことができるという利点もある。
なお、図６（ｂ）では、第一連結部１２が、車体の前後方向に対して傾いて配置された状態となっているが、第二連結部１３が傾いて配置されてもよい。また、図６（ｂ）では、前方に向かうにつれて第一連結部１２と第二連結部１３との間の間隔が狭まるように配置されているが、前方に向かうにつれて第一連結部１２と第二連結部１３との間の間隔が広がるように配置されてもよい。
さらに、本実施形態においては、第一連結部１２及び第二連結部１３は、平面視において平行又は非平行に配置されているものとしたが、側面視において平行又は非平行に配置されてもよい。つまり、第一連結部１２及び第二連結部１３は、側面視において高さ位置が異なるように配置されてもよいし、側面視において交差するように配置されてもよい。
【００４８】
また、本実施形態においては、変形抑制部７が備える連結部は、上述の第一連結部１２及び第二連結部１３の二つであるが、一つの連結部が一対の第一ブラケット１０，１０間に架け渡されて設けられるものとしてもよいし、三つ以上の連結部が一対の第一ブラケット１０，１０間に架け渡されて設けられるものとしてもよい。
連結部を一つとした場合、この連結部は、一対の第一ブラケット１０，１０のうち、固定部１１よりもシートクッションの外側に寄った位置に設けられる（すなわち、第二連結部１３が設けられる位置と同一である。）。
また、連結部が三つ以上設けられる場合の位置としては、上述の第一連結部１２と第二連結部１３が設けられる位置の他には、例えば、一対の第一ブラケット１０，１０の前側板部１０ａにおける中心部や、第一連結部１２と第二連結部１３との中間地点、第一連結部１２と固定部１１との中間地点、第二連結部１３と固定部１１との中間地点等、様々な箇所が挙げられる。
【００４９】
続いて、シート支持部６における一対の第二ブラケット８，８は、図２に示すように、車体幅方向において、一対の第一ブラケット１０，１０とは反対側に設けられたものであり、一対の第一ブラケット１０，１０と共にシートフレーム１を設置用部材（スライドレール２０，２０）上に支持している。
一対の第二ブラケット８，８のそれぞれは、一対の第一ブラケット１０，１０と同様に、前側板部と、後側板部と、これら前側板部と後側板部とを連結する連結板部とを有している。前側板部及び後側板部は、正面視（背面視）において略逆Ｌ字状に形成されている。また、連結板部は、前側板部の上端縁と後側板部の上端縁との間に設けられて、前側板部と後側板部とを連結しており、上面に、レール部材２ｄのロアレール２ｄ１が固定されている。
さらに、前側の第二ブラケット８における前側板部と、後側の第二ブラケット８における後側板部のそれぞれには、固定部８ａが挿通される挿通孔が形成されている。固定部８ａは、一対の第一ブラケット１０，１０と同様に、設置用部材（スライドレール２０）に取り付けられるとともに前後一対の第二ブラケット８，８の双方に固定されている。
このような一対の第二ブラケット８，８における上下寸法は、変形抑制部７における一対の第一ブラケット１０，１０の上下寸法と略等しく設定されている。また、互いの固定部８ａ，１１の高さ位置も略等しく設定されているため、設置用部材であるスライドレール２０，２０のスライド動作に支障が出にくくなっている。
【００５０】
以上のような構成の車両用シートにおいて変形抑制部７は、クッションフレーム２の前端部と後端部との間に亘って設けられ、かつ、オーバーハングしている箇所ＯＨに対して設けられているので、オーバーハングしている箇所ＯＨの剛性を向上させた状態となっている。このように構成された車両用シートに対して、シートベルトアンカレッジ試験を行うと、変形抑制部７がオーバーハングしている箇所ＯＨの変形を抑制するので、良好な試験結果を得ることが可能となっている。
【００５１】
本実施の形態によれば、シートフレーム１に対して車体前方向に力がかかり、設置用部材であるスライドレール２０よりも車体幅方向外側に突き出てオーバーハングした箇所ＯＨを変形させる力が生じた場合に、一対の第一ブラケット１０，１０に対して互いに一定の距離を持って配置固定された固定部１１と第一連結部１２と第二連結部１３とが互いに作用し合い、オーバーハングした箇所ＯＨにかかる変形力を吸収することができるので、オーバーハングした箇所ＯＨの変形を抑えることができる。これにより、シートフレーム１に対して車体前方向に力がかかる場合の乗員の安全性の向上を図ることができる。
【００５２】
また、第一連結部１２及び第二連結部１３は、固定部１１よりも上方に配置されているので、第一連結部１２及び第二連結部１３を、固定部１１に対して高さ方向にも間隔を空けて配置することができる。これにより、オーバーハングした箇所ＯＨにかかる変形力を分散させて吸収しやすくなる。
【００５３】
また、固定部１１が、略逆三角形状の一対の第一ブラケット１０，１０における下端部の頂点付近に配置され、第一連結部１２及び第二連結部１３が、略逆三角形状の一対の第一ブラケット１０，１０における上側両端部の頂点付近にそれぞれ配置されているので、オーバーハングした箇所ＯＨにかかる変形力を吸収する効果を発揮しつつ、固定部１１と第一連結部１２及び第二連結部１３とを効率良く配置することができる。
【００５４】
また、第一連結部１２及び第二連結部１３は、一対の第一ブラケット１０，１０における前側板部１０ａと後側板部１０ｂの双方を貫通しているので、オーバーハングした箇所ＯＨにかかる変形力をより一層分散させやすくなるとともに、一対の第一ブラケット１０，１０と第一連結部１２及び第二連結部１３の両端部とを強固に結合しやすくなる。
【００５５】
また、第一連結部１２及び第二連結部１３は、同一の材質又は異なる材質に設定されているので、同一の材質とした場合には、オーバーハングした箇所ＯＨにかかる変形力を均等に分散でき、異なる材質とした場合には、オーバーハングした箇所ＯＨにかかる変形力を偏りが出るように分散できる。すなわち、オーバーハングした箇所ＯＨにかかる変形力を想定して、同一の材質の第一連結部１２及び第二連結部１３を選択したり、異なる材質の第一連結部１２及び第二連結部１３を選択したりすることができるので、例えば車種に応じてオーバーハングした箇所ＯＨの寸法等が異なる場合であっても、第一連結部１２及び第二連結部１３の好ましい材質を選択して対応することができる。
【００５６】
また、第一連結部１２及び第二連結部１３は、略等しい径寸法Ｄ１，Ｄ１又は異なる径寸法Ｄ１，Ｄ２に設定されているので、略等しい径寸法Ｄ１，Ｄ１とした場合には、オーバーハングした箇所ＯＨにかかる変形力を均等に分散でき、異なる径寸法Ｄ１，Ｄ２にした場合には、オーバーハングした箇所ＯＨにかかる変形力を偏りが出るように分散できる。すなわち、オーバーハングした箇所ＯＨにかかる変形力を想定して、略等しい径寸法Ｄ１，Ｄ１の第一連結部１２及び第二連結部１３を選択したり、異なる径寸法Ｄ１，Ｄ２の第一連結部１２及び第二連結部１３を選択したりすることができるので、例えば車種に応じてオーバーハングした箇所ＯＨの寸法等が異なる場合であっても、第一連結部１２及び第二連結部１３の好ましい径寸法Ｄ１，Ｄ２を選択して対応することができる。
【００５７】
また、第一連結部１２及び第二連結部１３はパイプ材であり、略等しい肉厚寸法Ｔ１，Ｔ１又は異なる肉厚寸法Ｔ１，Ｔ２に設定されているので、略等しい肉厚寸法Ｔ１，Ｔ１とした場合には、オーバーハングした箇所ＯＨにかかる変形力を均等に分散でき、異なる肉厚寸法Ｔ１，Ｔ２にした場合には、オーバーハングした箇所ＯＨにかかる変形力を偏りが出るように分散できる。すなわち、オーバーハングした箇所ＯＨにかかる変形力を想定して、略等しい肉厚寸法Ｔ１，Ｔ１の第一連結部１２及び第二連結部１３を選択したり、異なる肉厚寸法Ｔ１，Ｔ２の第一連結部１２及び第二連結部１３を選択したりすることができるので、例えば車種に応じてオーバーハングした箇所ＯＨの寸法等が異なる場合であっても、パイプ材である第一連結部１２及び第二連結部１３の好ましい肉厚寸法Ｔ１，Ｔ２を選択して対応することができる。
【００５８】
また、第一連結部１２及び第二連結部１３は、平行又は非平行に配置されているので、平行に配置した場合には、オーバーハングした箇所ＯＨにかかる変形力を均等に分散でき、非平行に配置した場合には、オーバーハングした箇所ＯＨにかかる変形力を偏りが出るように分散できる。すなわち、オーバーハングした箇所ＯＨにかかる変形力を想定して、第一連結部１２及び第二連結部１３を平行に配置することを選択したり、第一連結部１２及び第二連結部１３を非平行に配置することを選択したりすることができるので、例えば車種に応じてオーバーハングした箇所ＯＨの寸法等が異なる場合であっても、第一連結部１２及び第二連結部１３の好ましい配置を選択して対応することができる。
さらに、例えば変形抑制部７が、シートフレーム１や車体の他の部材に干渉する場合に、第一連結部１２及び第二連結部１３を非平行に配置することで、他の部材への干渉を防ぐことができるので、シートフレーム１や車体の他の部材に干渉しにくくなり、変形抑制部７を設けやすくなる。
【００５９】
また、シートベルトの引き出し口を構成するベルトガイドブラケット４が、シートバックフレーム３の上端部のうち設置用部材であるスライドレール２０よりもオーバーハングしている側に設けられているので、シートフレーム１に対して車体前方向に力がかかった際に、オーバーハングした箇所ＯＨには、オーバーハングした箇所ＯＨを変形させるようとする、より強い力が生じることになるが、このような箇所ＯＨに対して変形抑制部７が設けられるため、シートフレーム１の変形を効果的に抑制することができる。
【００６０】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００６１】
〔変形例１〕
本変形例においては、図７に示すように、第一連結部１２と第二連結部１３との間に、これら第一連結部１２と第二連結部１３とを連結して補強する連結補強部１４が設けられている。
本変形例における連結補強部１４は、パイプ材や芯材（中実棒部材）からなる棒状部材であり、いわゆる筋交い（ブレースとも言う）のように第一連結部１２の後端部から第二連結部１３の前端部にかけて設けられている。このように連結補強部１４が設けられた場合は、オーバーハングしている箇所ＯＨ側に位置する第二連結部１３の前端部が沈み込むようにして変形するのを、連結補強部１４によって好適に防ぐことができる。
また、図示はしないが、連結補強部１４が、第一連結部１２の前端部から第二連結部１３の後端部にかけて筋交い状に設けられた場合は、オーバーハングしている箇所ＯＨ側に位置する第二連結部１３の後端部が釣り上がるようにして変形するのを、連結補強部１４によって好適に防ぐことができる。
また、図示はしないが、二本の棒状部材を交差させて第一連結部１２と第二連結部１３との間に設けるようにしてもよい。
さらに、本変形例における連結補強部１４は、パイプ材や芯材からなる棒状部材であるとしたが、これに限られるものではなく、板状・パネル状の連結補強部であってもよいし、
第一連結部１２及び第二連結部１３を覆い、かつ第一連結部１２と第二連結部１３とを接続するようにして外板を設けて一対の第一ブラケット１０，１０間にモノコック構造を形成し、これを連結補強部としてもよい。
【００６２】
本変形例によれば、第一連結部１２と第二連結部１３との間に、これら第一連結部１２と第二連結部１３とを連結して補強する連結補強部１４が設けられているので、第一連結部１２及び第二連結部１３を含む変形抑制部７全体の一体性を高めることができ、オーバーハングした箇所ＯＨにかかる変形力をより一層分散させやすくなる。
【００６３】
〔変形例２〕
上述の実施形態では、一対の第一ブラケット１０，１０と一対の第二ブラケット８，８とが、車体幅方向の左側端部と右側端部に分けて設けられていたが、本変形例においては、図８に示すように、第一ブラケットと第二ブラケットとが一体形成された一対の一体型ブラケット１５，１５が、クッションフレーム２の前端側と後端側に間隔を空けて、かつ互いに対向して設けられている。つまり、一体型ブラケット１５は、車体幅方向の一方に配置された第一ブラケット１０と他方に配置された第二ブラケット８との、左右一体型ブラケットとして構成されている。
一対の一体型ブラケット１５，１５は、オーバーハングしている箇所ＯＨ側に位置する第一ブラケット部１６と、オーバーハングしている箇所ＯＨとは反対側に位置する第二ブラケット部１７と、を備える。
第一ブラケット部１６と第二ブラケット部１７は、それぞれ固定部１６ａ，１７ａを介して設置用部材であるスライドレール２０（アッパーレール２２）に取り付けられている。
さらに、オーバーハングしている箇所ＯＨ側に位置する第一ブラケット部１６のうち、固定部１６ａよりもよりもシートクッションの中央側には第一連結部１２が設けられ、固定部１６ａよりもシートクッションの外側には第二連結部１３が設けられている。
【００６４】
なお、一対の一体型ブラケット１５，１５は、上述の実施形態における第一ブラケット１０と第二ブラケット８と同様に、それぞれ前側板部（図示せず）と後側板部１５ｂと連結板部（図示せず）とを有している。
この場合、前側板部と後側板部１５ｂと連結板部のどれもが左右一体型である必要はなく、連結板部と前側板部とが左右一体型、又は連結板部と後側板部１５ｂとが左右一体型であればよいものとする。本変形例においては、少なくともクッションフレーム２の後端側に位置する一体型ブラケット１５の、連結板部と後側板部１５ｂとが左右一体型とされている。
また、本変形例における一体型ブラケット１５と、上述の実施形態における第一ブラケット１０及び第二ブラケット８を併用してもよい。すなわち、クッションフレーム２の後端側に一体型ブラケット１５を配置し、クッションフレーム２の前端側には、一体ではない第一ブラケット１０と第二ブラケット８とを配置するようにしてもよい。
【００６５】
本変形例によれば、上述の実施形態で説明したオーバーハングしている箇所ＯＨに設けられた一対の第一ブラケット１０，１０と、オーバーハングしていない箇所に設けられた一対の第二ブラケット８，８と、を一体に形成した形態の一体型ブラケット１５，１５を用いることができるので、オーバーハングした箇所ＯＨにかかる変形力を、第二ブラケット部１７側に分散でき、オーバーハングした箇所ＯＨの変形を抑えやすくなる。
【００６６】
〔変形例３〕
上述の実施形態おいて、シートフレーム１は、その幅方向一端部側が設置用部材であるスライドレール２０よりも車体幅方向外側に突き出てオーバーハングした状態となっていたが、本変形例においては、図９に示すように、シートフレーム１の幅方向両端部が設置用部材であるスライドレール２０よりも車体幅方向外側に突き出てオーバーハングした状態となっている。つまり、本変形例におけるシートフレーム１の場合、幅方向両端部側がオーバーハングしている箇所ＯＨ，ＯＨとなっている。
そして、本変形例では、クッションフレーム２と設置用部材であるスライドレール２０，２０との間のうち、クッションフレーム２におけるオーバーハングしている箇所ＯＨ，ＯＨの双方に対して変形抑制部７が設けられている。
また、この場合、双方の変形抑制部７における第一連結部１２及び第二連結部１３の配置は、第二連結部１３が、固定部１１よりもシートクッションの外側寄りになっている。
【００６７】
本変形例によれば、シートフレーム１の幅方向両端部がオーバーハングした箇所ＯＨ，ＯＨとなり、これら双方のオーバーハングした箇所ＯＨ，ＯＨに対して変形抑制部７が設けられているので、シートフレーム１の幅方向両端部の変形を抑制することができる。
さらに、このように双方のオーバーハングした箇所ＯＨ，ＯＨに対して変形抑制部７が設けられれば、車両用シート全体として左右対称に構成することが可能となるので、当該車両用シートが車体の右側に設けられるものであっても、左側に設けられるものであっても対応することができる。シートベルトの引き出し口を構成するベルトガイドブラケット４についても、シートバックフレーム３の上端部における左側端部と右側端部のどちらにでも設けることができる。
【符号の説明】
【００６８】
１  シートフレーム
２  クッションフレーム
２ｄ  レール部材
２ｄ１  ロアレール
２ｄ２  アッパーレール
３  シートバックフレーム
４  ベルトガイドブラケット
６  シート支持部
７  変形抑制部
８  第二ブラケット
８ａ  固定部
１０  第一ブラケット
１０ａ  前側板部
１０ｂ  後側板部
１０ｃ  連結板部
１１  固定部
１１ａ  受部
１２  第一連結部
１３  第二連結部
１４  連結補強部
１５  一体型ブラケット
１６  第一ブラケット部
１７  第二ブラケット部
２０  設置用部材
２１  ロアレール
２２  アッパーレール
２３  レール連結部
３０  シート支持部
３１  後端部側のフレーム材
３２  前端部側のフレーム材
【図１】
2019026158.tif 000003
【図２】
2019026158.tif 000004
【図３】
2019026158.tif 000005
【図４】
2019026158.tif 000006
【図５】
2019026158.tif 000007
【図６】
2019026158.tif 000008
【図７】
2019026158.tif 000009
【図８】
2019026158.tif 000010
【図９】
2019026158.tif 000011
【図１０】
2019026158.tif 000012